(57)【要約】  本発明は、複数のＬＥＤアレイグリッドモジュールを有するモジュール式ＬＥＤアレイグリッドであって、各ＬＥＤアレイグリッドモジュールが、２本の隣接する導電性ワイヤに電気的に結合される１つ以上のＬＥＤを備える隣接する導電性ワイヤの１つ以上のアレイを有し、前記１つ以上のアレイの少なくとも１つの２本の隣接する導電性ワイヤが、前記１つ以上のＬＥＤにおいて第１距離を持つと共に、前記第１距離より大きい第２距離を前記２本の隣接する導電性ワイヤの間に供給する１つ以上の折り曲げ部を持ち、前記アレイグリッドモジュールの２つ以上が、第１アレイの１つ以上の折り曲げ部と、隣接する第２アレイの前記導電性ワイヤとの間の１つ以上の結合部で互いに結合されるモジュール式ＬＥＤアレイグリッドを提供する。このグリッドは、本発明の方法によって入手可能であり得る。
2015531973.tif 000002
【特許請求の範囲】
【請求項１】
モジュール式ＬＥＤアレイグリッドを供給する方法であって、
複数のＬＥＤアレイグリッドモジュールであって、各ＬＥＤアレイグリッドモジュールが、２本の隣接する導電性ワイヤに電気的に結合される１つ以上のＬＥＤを備える隣接する導電性ワイヤの１つ以上のアレイを有し、前記１つ以上のアレイの少なくとも１つの２本の隣接する導電性ワイヤが、前記１つ以上のＬＥＤにおいて第１距離を持つと共に、前記第１距離より大きい第２距離を前記２本の隣接する導電性ワイヤの間に供給する１つ以上の折り曲げ部を持つ複数のＬＥＤアレイグリッドモジュールを供給するステップと、
第１アレイの１つ以上の折り曲げ部と、隣接する第２アレイの前記導電性ワイヤとの間の１つ以上の結合部で２つ以上のアレイグリッドモジュールを結合することによって前記モジュール式ＬＥＤアレイグリッドを供給するステップとを有する方法。
【請求項２】
前記方法が、前記第１アレイの１つ以上の折り曲げ部と、前記隣接する第２アレイの１つ以上の折り曲げ部との間の１つ以上の結合部で２つ以上のアレイグリッドモジュールを結合するステップを有する請求項１に記載の方法。
【請求項３】
前記隣接する導電性ワイヤ及び前記１つ以上の折り曲げ部が、１つの平面内に配置される請求項１乃至２のいずれか一項に記載の方法。
【請求項４】
１つ以上の結合部が、ステープル結合部、はんだ結合部、ワイヤラップ結合部及び溶接結合部から成るグループから選択される結合部を有する請求項１乃至３のいずれか一項に記載の方法。
【請求項５】
１つ以上の結合部が導電性である請求項１乃至４のいずれか一項に記載の方法。
【請求項６】
前記方法が、２本の隣接する導電性ワイヤを供給し、前記ワイヤの１本以上において前記折り曲げ部の１つ以上を供給し、その後、前記アレイを供給するよう前記２本の隣接する導電性ワイヤに１つ以上のＬＥＤを配設するステップを有する請求項１乃至５のいずれか一項に記載の方法。
【請求項７】
前記方法が、２本の隣接する導電性ワイヤを供給し、前記２本の隣接する導電性ワイヤに１つ以上のＬＥＤを配設し、その後、前記アレイを供給するよう前記ワイヤの１本以上において前記折り曲げ部の１つ以上を供給するステップを有する請求項１乃至５のいずれか一項に記載の方法。
【請求項８】
前記モジュール式ＬＥＤアレイグリッドを、支持物と透光性カバーとの間に配設するステップを有する請求項１乃至７のいずれか一項に記載の方法。
【請求項９】
複数のＬＥＤアレイグリッドモジュールを有するモジュール式ＬＥＤアレイグリッドであって、各ＬＥＤアレイグリッドモジュールが、１つ以上のＬＥＤであって、前記１つ以上のＬＥＤに電力を供給するための２本の隣接する導電性ワイヤに電気的に結合される１つ以上のＬＥＤを備える隣接する導電性ワイヤの１つ以上のアレイを有し、前記１つ以上のアレイの少なくとも１つの２本の隣接する導電性ワイヤが、前記１つ以上のＬＥＤにおいて第１距離を持つと共に、前記第１距離より大きい第２距離を前記２本の隣接する導電性ワイヤの間に供給する１つ以上の折り曲げ部を持ち、前記アレイグリッドモジュールの２つ以上が、第１アレイの１つ以上の折り曲げ部と、隣接する第２アレイの前記導電性ワイヤとの間の１つ以上の結合部で互いに結合されるモジュール式ＬＥＤアレイグリッド。
【請求項１０】
前記アレイグリッドモジュールの２つ以上が、第１アレイの１つ以上の折り曲げ部と、前記隣接する第２アレイの１つ以上の折り曲げ部との間の１つ以上の結合部で互いに結合される請求項９に記載のモジュール式ＬＥＤアレイグリッド。
【請求項１１】
前記隣接する導電性ワイヤ及び前記１つ以上の折り曲げ部が、１つの平面内に配置される請求項９乃至１０のいずれか一項に記載のモジュール式ＬＥＤアレイグリッド。
【請求項１２】
１つ以上の結合部が、ステープル結合部、はんだ結合部、ワイヤラップ結合部及び溶接結合部から成るグループから選択される結合部を有する請求項９乃至１１のいずれか一項に記載のモジュール式ＬＥＤアレイグリッド。
【請求項１３】
１つ以上の結合部が導電性である請求項９乃至１２のいずれか一項に記載のモジュール式ＬＥＤアレイグリッド。
【請求項１４】
１本以上の導電性ワイヤが、単一の平面内に配置される第１ワイヤ素子と、前記平面から突出する第２ワイヤ素子とを有する請求項９乃至１３のいずれか一項に記載のモジュール式ＬＥＤアレイグリッド。
【請求項１５】
支持物と、透過性カバーと、前記支持物及び前記透過性カバーの間に配置される、請求項９乃至１３のいずれか一項に記載のモジュール式ＬＥＤアレイグリッドとを有する照明装置。
【発明の詳細な説明】
【技術分野】
【０００１】
本発明は、モジュール式ＬＥＤアレイグリッドを供給する方法に関する。本発明は、更に、このような方法で取得可能なモジュール式ＬＥＤアレイグリッドに関する。更に、本発明は、このようなモジュール式ＬＥＤアレイグリッドを有する照明装置に関する。
【背景技術】
【０００２】
当業界では既知なように、発光ダイオード（ＬＥＤ）は、しばらくの間、照明パネル及びディスプレイのバックライトとして用いられており、多数のローパワーＬＥＤがアレイに配設される。ＬＥＤは、幾つかの理由でこの目的によく適している。前記幾つかの理由は、例えば、長い寿命を持つ耐久性のある構造であり、これは、必要とされるメンテナンスを減らす。また、前記幾つかの理由は、低電力消費であり、より低い電圧で動作されることであり、これは、高電圧アプリケーションに関連するリスク及び動作コストを減らす。これに関連して、それらは、高い光出力を持つ。
【発明の概要】
【発明が解決しようとする課題】
【０００３】
従来技術は、プリント回路基板（ＰＣＢ）上へのＬＥＤの配設を含む。しかしながら、特に、前記ＬＥＤが大きなピッチで配設される場合、これは、高価なソリューションである。
【０００４】
更に、従来技術のモジュール式ＬＥＤアレイグリッドは、作成するには複雑であり、時として、ワイヤーＬＥＤ接続に損傷を与え得る処理ステップを含み、適用するのが困難であり得る、且つ／又はエンドユーザによって望まれる寸法に拡大・縮小するのが困難であり得る。
【０００５】
従って、本発明の態様は、別の、モジュール式ＬＥＤアレイグリッド、及び／又はこのようなモジュール式ＬＥＤアレイグリッドを供給する方法を提供することであり、これは、好ましくは、更に、上記の不利な点の１つ以上を少なくとも部分的に除去する。
【課題を解決するための手段】
【０００６】
第１の態様においては、本発明は、（本願明細書においては「グリッド」とも示される）モジュール式ＬＥＤアレイグリッドを供給する方法であって、
―  複数の（本願明細書においては「モジュール」とも示される）ＬＥＤアレイグリッドモジュールであって、各ＬＥＤアレイグリッドモジュールが、２本の隣接する導電性ワイヤに電気的に結合される１つ以上のＬＥＤを備える隣接する導電性ワイヤの１つ以上のアレイを有し、前記１つ以上のアレイの少なくとも１つの２本の隣接する導電性ワイヤが、前記１つ以上のＬＥＤにおいて第１距離（ｄ１）を持つと共に、前記第１距離（ｄ１）より大きい第２距離（ｄ２）を前記２本の隣接する導電性ワイヤの間に供給する１つ以上の折り曲げ部を持つ複数のＬＥＤアレイグリッドモジュールを供給するステップと、
―  第１アレイの１つ以上の折り曲げ部と、隣接する第２アレイの前記導電性ワイヤとの間の１つ以上の結合部で２つ以上のアレイグリッドモジュールを結合することによって前記モジュール式ＬＥＤアレイグリッドを供給するステップとを有する方法を提供する。
【０００７】
このような方法は、有利なことには、相対的に容易な方法で、前記モジュール式ＬＥＤアレイグリッドを供給し得る。前記アレイグリッドモジュールは、相対的に簡単な方法で結合されることができ、それによって、所望の寸法の前記モジュール式ＬＥＤアレイグリッドが作成され得る。これは、エンドユーザにおいてなされ得るが、他の例においては、又は更に、後で他のモジュール及び／又は中間グリッドに結合され得る中間グリッドを供給するよう２つ以上のモジュールが結合されてもよく、又は最終的なグリッドが供給されてもよい。従って、全く機能低下のないスケーラビリティが優れている。プロセスの機械化は、相対的に容易であり得る。更に、下でも更に示すように、前記モジュールは、随意に、所望の長さに切断されることができ、それにもかかわらず、（照明のために用いられ得る）前記グリッドを形成するよう互いに機能的に結合され得る。
【０００８】
従って、他の態様においては、本発明は、複数のＬＥＤアレイグリッドモジュールを有するこのようなモジュール式ＬＥＤアレイグリッドであって、各ＬＥＤアレイグリッドモジュールが、１つ以上のＬＥＤであって、前記１つ以上のＬＥＤに電力を供給するための２本の隣接する導電性ワイヤに電気的に結合される１つ以上のＬＥＤを備える隣接する導電性ワイヤの１つ以上のアレイを有し、前記１つ以上のアレイの少なくとも１つの２本の隣接する導電性ワイヤが、前記１つ以上のＬＥＤにおいて第１距離（ｄ１）を持つと共に、前記第１距離（ｄ１）より大きい第２距離（ｄ２）を前記２本の隣接する導電性ワイヤの間に供給する１つ以上の折り曲げ部を持ち、前記アレイグリッドモジュールの２つ以上が、第１アレイの１つ以上の折り曲げ部と、隣接する第２アレイの前記導電性ワイヤとの間の１つ以上の結合部で互いに結合されるモジュール式ＬＥＤアレイグリッドも提供する。この方法は、本発明の方法によって入手可能であり得る。
【０００９】
前記グリッドは、２つ以上のモジュールを有してもよく、一般に、少なくとも８個のモジュールのような、４乃至４００個のモジュールなどの、少なくとも４個のモジュールを有し得る。前記グリッドは、例えば、４乃至400m2などの、2乃至400m2の面積にわたり得る。前記モジュールは、原則的に、あらゆる長さを持ち得るが、一般に、1乃至5mなどの、約0.5乃至10mの長さを持つだろう。モジュール毎のＬＥＤ数及びグリッドにおけるＬＥＤ数は、様々であり得る。グリッドにおける1m2当たりのＬＥＤ数（ＬＥＤ密度）は、例えば、４乃至１００個などの、１乃至４００個程度であり得るが、より多くの又はより少ないＬＥＤを備えるグリッドもあり得る。モジュールにおけるＬＥＤ数は、例えば、１乃至１００個の範囲内であり得る。本願明細書においては、「ＬＥＤ」という用語は、「複数のＬＥＤ」という用語も指し得る。
【００１０】
グリッドにわたっての前記ＬＥＤの分布は規則的であり得るが、１つのグリッド内に、各々、モジュールにおいて異なる数のＬＥＤを備える、又は異なるＬＥＤ密度を持つ、モジュールの２つ以上のサブセットがあってもよいことに注意されたい。一般に、前記ＬＥＤは、規則的なパターンで配設されるだろうが、他のパターンも除外されないかもしれない。しかしながら、一般に、前記モジュールの配設は、規則的であるだろう。
【００１１】
前記ＬＥＤは、特に、固体ＬＥＤであるが、随意に、有機ＬＥＤであってもよい。固体ＬＥＤと有機ＬＥＤとの組み合わせも利用され得る。前記ＬＥＤは、白色光などの１つの色の光を供給するよう構成されてもよいが、様々な色の光を供給するよう構成されてもよい。
【００１２】
「ＬＥＤ」という用語はまた、複数のＬＥＤに関し得る。従って、実施例においては、単一のＬＥＤ位置に、２つ以上のＬＥＤから成る白色発光ＬＥＤパッケージなどの、複数のＬＥＤが配設されてもよい。前記ＬＥＤは、特に、可視光を生成するよう設計される。
【００１３】
上記のように、各モジュールは、隣接する導電性ワイヤの少なくとも１つのアレイを有する。「隣接する」という用語は、それらの隣接するワイヤの間の距離がそれらの長さにわたって一定であるということを意味しない。逆に、幾つかの場所においては、上及び下で示した折り曲げ部が、前記隣接する導電性ワイヤの間に、（前記ＬＥＤが配設される位置における距離、又は前記導電性ワイヤ間の距離、即ち、第１距離と示される前記ＬＥＤの位置おける前記ワイヤの間の距離より大きい）（第２距離と示される）局所的な、より大きい距離をもたらす。前記導電性ワイヤは、本願明細書においては、「導電性ワイヤ」とも、又は単に「ワイヤ」とも示される。一般に、各アレイは、前記ＬＥＤに電位差を印加するための２本のワイヤを有する。前記２本の隣接する導電性ワイヤに２つ以上のＬＥＤが配設される場合、それらのＬＥＤは、好ましくは、並列に配設される（並列回路）。各アレイは、電源によって個々に給電されてもよいが、アレイは、導電性コネクタなどを介して電気的に結合されてもよい（下記も参照）。モジュールは、実施例においては、単一のアレイを有してもよいが、別の実施例においては、複数のアレイを有してもよい。実施例においては、前記複数のアレイは、直列に配設され、別の実施例においては、前記複数のアレイは、並列に配設される。
【００１４】
前記折り曲げ部は、前記アレイにおいて、従って、前記モジュールにおいて、幅の拡大をもたらす、又は幅を増大させる。この方法においては、より大きい面積が占められ得るが、より少ない材料しか必要ないだろう。前記モジュールは、或るモジュールの１つ以上の折り曲げ部と、別のモジュールのアレイとの間で結合されてもよいが、或るモジュールの折り曲げ部は、別のモジュールの折り曲げ部と結合されてもよく、それによって、前記グリッドでカバーされる領域を増大させる。従って、特定の実施例においては、前記方法は、前記第１アレイの１つ以上の折り曲げ部と、前記隣接する第２アレイの１つ以上の折り曲げ部との間の１つ以上の結合部で２つ以上のアレイグリッドモジュールを結合するステップを有する。従って、特定の実施例においては、前記アレイグリッドモジュールの２つ以上が、第１アレイの１つ以上の折り曲げ部と、前記隣接する第２アレイの１つ以上の折り曲げ部との間の１つ以上の結合部で互いに結合される。「折り曲げる」という用語は、随意に、例えば、「曲げる」こと、又は「しわを作る」ことも指す。一般に、前記折り曲げ部は、ワイヤ折り曲げ部であり、即ち、前記導電性ワイヤの１本以上は、ワイヤ折り曲げ部を有する。
【００１５】
特定の実施例においては、前記隣接する導電性ワイヤ及び前記１つ以上の折り曲げ部が、１つの平面内に配置される随意に、又は他の例においては、１本以上の導電性ワイヤが、単一の平面内に配置される第１ワイヤ素子と、前記平面から突出する第２ワイヤ素子とを有する。それらの突出ワイヤ素子は、例えば、支持物及びカバーなどの２つの他の素子の間に前記グリッドを配設するのに役立ち得る（下記も参照）。それらの突出素子は、前記導電性ワイヤに取り付けられてもよく、若しくは前記導電性ワイヤの一部であってもよく、且つ／又は前記折り曲げ部に取り付けられてもよく、若しくは前記折り曲げ部の一部であってもよいが、特に、前記折り曲げ部に取り付けられる、又は前記折り曲げ部の一部である。
【００１６】
前記結合部は、あらゆるタイプの結合部であり得る、特に、１つ以上の結合部は、ステープル結合部、はんだ結合部、ワイヤラップ結合部及び溶接結合部から成るグループから選択される結合部を有する。本発明の利点はまた、前記モジュールは、長さが、所望の長さに減らされ得ることであり得る。このような実施例においては、最終的なアプリケーションにおいて、導電性ワイヤが、電気的接触を供給する必要があり得る。前記結合部は、特に、２つの隣接するモジュールを機能的に結合する（又は接続する）ために用いられる。異なるタイプの結合部の組み合わせも利用されることができ、又は１つの結合素子内であっても、異なるタイプの結合原理の組み合わせも利用されることができる。
【００１７】
いずれにしろ、電気的接続性を最大化し、それによって、１つ以上の光源の故障の危険性を減らすためには、導電性接続が有利であり得る。従って、実施例においては、１つ以上の結合部が導電性である。
【００１８】
前記ＬＥＤは、前記折り曲げ部がまだ存在しないときに、前記導電性ワイヤに配設されてもよく、従って、折り曲げ部は、その後、作成されてもよいが、別の実施例においては、まず、前記ワイヤの１本以上に折り曲げ部が設けられ、次いで、前記ＬＥＤが、前記ワイヤに配設される。従って、実施例においては、前記方法は、２本の隣接する導電性ワイヤを供給し、前記ワイヤの１本以上において前記折り曲げ部の１つ以上を供給し、その後、前記アレイを供給するよう前記２本の隣接する導電性ワイヤに１つ以上のＬＥＤを配設するステップを有する。更に別の実施例においては、前記方法は、２本の隣接する導電性ワイヤを供給し、前記２本の隣接する導電性ワイヤに１つ以上のＬＥＤを配設し、その後、前記アレイを供給するよう前記ワイヤの１本以上において前記折り曲げ部の１つ以上を供給するステップを有する。実施例においては、前記折り曲げ部は、前記導電性ワイヤを引っ張ることによって供給され得る。
【００１９】
前記グリッドは、天井又は壁に配設されてもよいが、床上のアプリケーションも必要であり得る。随意に、前記グリッドは、間仕切りに組み込まれてもよく、又は天井からつり下げてもよい。特に、前記方法は、前記モジュール式ＬＥＤアレイグリッドを、支持物と透光性カバーとの間に配設するステップも含んでもよい。従って、他の態様においては、本発明は、支持物と、透過性カバーと、前記支持物及び前記透過性カバーの間に配置される、請求項９乃至１３のいずれか一項に記載のモジュール式ＬＥＤアレイグリッドとを有する照明装置も提供する。前記透過性カバーは、閉じた透過性カバーであってもよいが、別の実施例においては、間に開口部を備える複数のバー、又はグリッド（金網）開口部を備えるグリッドを有してもよい。特に、後者の透過性カバーは、前記光源の前に配設される場合に、グレアを制限するために用いられることができる。実施例においては、前記透過性カバーは、半透明なカバーである。
【００２０】
前記グリッドは、電源に接続され得る。従って、他の態様においては、本発明は、前記グリッド及び電源から成る装置も提供する。更に、前記グリッドは、制御ユニットに接続され得る。従って、他の態様においては、本発明は、前記グリッド及び制御ユニット、並びに随意の電源から成る装置も提供する。前記制御ユニットは、前記光の強度、前記光の色、前記光の色相などの１つ以上を制御するよう構成され得る。随意に、前記制御ユニットは、ＬＥＤの２つ以上のサブセットを個々に制御するよう構成され得る。後者の実施例においては、前記グリッドは、光パターン及び／又は（画像を含む）情報を表示するためにも用いられ得る。
【００２１】
本願明細書における、「実質的に全ての発光」又は「実質的に、…から成る」などにおける「実質的に」という用語は、当業者には理解されるだろう。「実質的に」という用語は、「完全に」、「完璧に」、「全ての」などを備える実施例も含み得る。従って、実施例においては、「実質的に」という形容詞は取り除かれてもよい。「実質的に」という用語はまた、適用される場合、95%以上、特に99%以上、更に100%を含む99.5%以上などの、90%以上に関し得る。「有する」という用語は、「有する」という用語が「から成る」を意味する実施例も含む。
【００２２】
更に、明細書及び特許請求の範囲における第１、第２、第３などの用語は、同様の素子を区別するために用いられており、必ずしも、順次的な又は時間的な順番を記載するためには用いられていない。そのように用いられている用語は、適切な状況下では交換可能であり、本発明の実施例は、本願明細書に記載又は図示されている順序以外の順序で動作可能であることは、理解されたい。
【００２３】
本願明細書においては、機器又は装置は、とりわけ、動作中のものが記載されている。同業者には明らかであるように、本発明は、動作の方法又は動作中の装置に限定されない。
【００２４】
上記の実施例は、本発明を限定するものではなく、説明するものであって、当業者は、添付の請求項の範囲から逸脱せずに多くの別の実施例を設計することができるであろうことに注意されたい。請求項において、括弧内に配置されるいかなる参照符号も、請求項を限定するものとして解釈されるべきではない。「有する」という動詞及びその語形変化の使用は、請求項において述べられている要素又はステップ以外の要素又はステップの存在を除外しない。要素の単数形表記は、このような要素の複数の存在を除外しない。本発明は、幾つかの別個の素子を有するハードウェアによって実施されてもよく、適切にプログラムされたコンピュータによって実施されてもよい。幾つかの手段を挙げている装置の請求項においては、これらの手段の幾つかは、ハードウェアの同一のアイテムによって実施されてもよい。単に、特定の手段が、相互に異なる従属請求項において引用されているという事実は、これらの手段の組み合わせが有利になるように用いられることができないことを示すものではない。
【００２５】
本発明は、更に、明細書に記載されている且つ／又は添付の図面に示されている特徴づける特徴の１つ以上を有する装置又は機器に適用される。本発明は、更に、明細書に記載されている且つ／又は添付の図面に示されている特徴づける特徴の１つ以上を有する方法又はプロセスに関する。
【００２６】
この特許において述べられている様々な態様は、付加的な利点を供給するために組み合わされ得る。更に、前記特徴の幾つかは、１つ以上の分割出願のベースを形成し得る。
【００２７】
ここで、ほんの一例として、添付の概略的な図面を参照して、本発明の実施例を説明する。前記図面において、対応する参照符号は、対応するパーツを示す。
【図面の簡単な説明】
【００２８】
【図１ａ】本発明の幾つかのあり得る態様を概略的に図示する。
【図１ｂ】本発明の幾つかのあり得る態様を概略的に図示する。
【図１ｃ】本発明の幾つかのあり得る態様を概略的に図示する。
【図１ｄ】本発明の幾つかのあり得る態様を概略的に図示する。
【図２ａ】あり得る実施例及び前記実施例の幾つかの変形例を概略的に図示する。
【図２ｂ】あり得る実施例及び前記実施例の幾つかの変形例を概略的に図示する。
【図２ｃ】あり得る実施例及び前記実施例の幾つかの変形例を概略的に図示する。
【図３ａ】あり得る実施例及び前記実施例の幾つかの変形例を概略的に図示する。
【図３ｂ】あり得る実施例及び前記実施例の幾つかの変形例を概略的に図示する。
【図３ｃ】あり得る実施例及び前記実施例の幾つかの変形例を概略的に図示する。
【図４ａ】あり得る実施例及び前記実施例の幾つかの変形例を概略的に図示する。
【図４ｂ】あり得る実施例及び前記実施例の幾つかの変形例を概略的に図示する。
【図４ｃ】あり得る実施例及び前記実施例の幾つかの変形例を概略的に図示する。
【図５ａ】あり得る実施例及び前記実施例の幾つかの変形例を概略的に図示する。
【図５ｂ】あり得る実施例及び前記実施例の幾つかの変形例を概略的に図示する。
【図６ａ】あり得る実施例及び前記実施例の幾つかの変形例を概略的に図示する。
【図６ｂ】あり得る実施例及び前記実施例の幾つかの変形例を概略的に図示する。
【図７ａ】あり得る実施例及び前記実施例の幾つかの変形例を概略的に図示する。
【図７ｂ】あり得る実施例及び前記実施例の幾つかの変形例を概略的に図示する。
【図７ｃ】あり得る実施例及び前記実施例の幾つかの変形例を概略的に図示する。
【図８ａ】あり得る実施例及び前記実施例の幾つかの変形例を概略的に図示する。
【図８ｂ】あり得る実施例及び前記実施例の幾つかの変形例を概略的に図示する。
【図８ｃ】あり得る実施例及び前記実施例の幾つかの変形例を概略的に図示する。
【図９ａ】あり得る実施例及び前記実施例の幾つかの変形例を概略的に図示する。
【図９ｂ】あり得る実施例及び前記実施例の幾つかの変形例を概略的に図示する。
【図９ｃ】あり得る実施例及び前記実施例の幾つかの変形例を概略的に図示する。
【発明を実施するための形態】
【００２９】
図面は、必ずしも縮尺通りではない。
【００３０】
図１ａ及び１ｂは、２本の隣接する導電性ワイヤ５１に電気的に結合される１つ以上のＬＥＤ１０を備える隣接する導電性ワイヤ５１のアレイ１５１を概略的に図示している。これらの導電性ワイヤ５１は、１つ以上のＬＥＤ１０に給電するのに用いられ得る。電源は図示されていない。
【００３１】
２本の隣接する導電性ワイヤ５１は、１つ以上のＬＥＤ１０のところで第１距離ｄ１を持つ。更に、導電性ワイヤ５１は、第１距離ｄ１より大きい第２距離ｄ２を２本の隣接する導電性ワイヤ５１の間に供給する折り曲げ部５２を持つ。特に、ｄ２／ｄ１＞２乃至４などの、ｄ２／ｄ１＞１．５である。ここでは、両方の導電性ワイヤが折り曲げ部５２を持つが、随意に、一方の導電性ワイヤが、このような折り曲げ部を持っていてもよい。特に、折り曲げ部５２は、両方のワイヤ５１において対称に配設され、これによって、（これらの実施例のような）最大アレイ幅（ここでは?ｄ２）が得られる。
【００３２】
図１ａにおいては、一例として、折り曲げ部５２間に１つのＬＥＤ１０が配置されているが、図１ｂにおいては、折り曲げ部５２間に２つのＬＥＤ１０が配置されている。他の構成もあり得る。
【００３３】
前記アレイグリッドモジュール５０の２つ以上が、参照符号１５１（１）で示されている第１アレイの１つ以上の折り曲げ部５２と、参照符号１５１（２）で示されている隣接する第２アレイの導電性ワイヤ５１との間の１つ以上の結合部６０で互いに結合され得る。これは、図１ｃ及び１ｄにおいて概略的に示されており、この方法においては、複数のＬＥＤアレイグリッドモジュール５０を有するモジュール式ＬＥＤアレイグリッド１００が得られる。
【００３４】
図１ｃ及び１ｄの両方とも、第１アレイ１５１（１）の折り曲げ部５２と、隣接する第２アレイ１５１（２）の折り曲げ部５２との間に結合部６０を備える２つのアレイグリッドモジュール５０を示している。これは、幅広のモジュール５０をもたらし、モジュール５０は、図１ｄにおいては、結合部６０が、第１及び第２アレイの隣接するワイヤを互いから或る距離をおいて配設するよう構成されるという事実により、より一層幅広である。図１ｃにおいては、参照符号５３で示されている折り曲げ部５２の先端部が互いに接触するかもしれず、図１ｄにおいては、これらの先端部が、互いから非零距離にある。
【００３５】
図２ａは、あり得る実施例及び前記実施例の幾つかの変形例を概略的に図示している。図２ａは、モジュール式ＬＥＤアレイグリッド１００が支持物２１０と透光性カバー２２０との間に配設されるアプリケーションの実施例を概略的に図示している。随意に、透光性カバー２２０がなくてもよい。透光性カバー２２０は、図２ｂの実施例において概略的に図示されているような物理的な開口部２２３を持つエンティティであってもよく、図２ｃにおいて概略的に図示されているような閉じたエンティティであってもよい。先の図においては、グリッド１００の前方においてグレアが減らされるようにして配設され得る金網タイプの透光性カバー２２０が利用され得る。例えば、グリッド１００（又は透光性カバー２２０）に対する垂線と、少なくとも30°以下のような45°以下などの60°以下の角度の下でグリッド１００（又は透光性カバー２２０）を見る観察者によって、直接光が知覚されないだろう。図２ａにおいては、透光性カバー２２０は、アンチグレアバー２２２を含み得る。従って、図２ｂにおいては、参照符号２２１で示されている上面は、開口部（貫通孔）を有してもよいが、図２ｃにおいては、上面２２１は、閉じられていてもよい。例えば、透光性カバー２２０は、半透明な又は随意に透明な層又はプレートであってもよい。
【００３６】
図２ａは、更に、電源２３０及び随意の制御ユニット２４０を概略的に図示している。制御ユニット２４０は、光の強度、光の色、光の色相の１つ以上を制御するよう構成され得る。随意に、制御ユニット２４０は、（図２ａには示されていない）ＬＥＤ１０の２つ以上のサブセットを個々に制御するよう構成され得る。
図３ａ乃至６ｂは、複数の、非限定的な数のあり得る実施例、及び前記実施例の幾つかの変形例を概略的に図示している。
【００３７】
図３ａは、図１ｃにおいて概略的に図示されているものと実質的に同じである実施例を概略的に図示している。図３ｂは、ここではステープル接続部である接続部６０の実施例を概略的に図示している。図３ｃは、ここでは例えば溶接又ははんだ接続部である接続部６０の実施例を概略的に図示している。特に、接続部は、ＬＥＤに対する電力が様々な経路を介して供給され得るとともに、ワイヤの遮断がすぐには１つ以上のＬＥＤ１０にとって有害にならないように、導電性である。
【００３８】
図４ａは、折り曲げ部５２が、ワイヤの折り曲げ部が、別のアレイ１５１の隣接するワイヤの折り曲げ部に少なくとも部分的に巻きつけられ得るような形状を持つグリッド１００の実施例を概略的に図示している。この方法においても、モジュール５０は結合され得る。
【００３９】
図５ａ及び５ｂは、モジュール５０の異なる構成を示しており、図５ａにおいては、隣接するモジュール５０の折り曲げ部５２が接続されており、図５ｂにおいては、折り曲げ部５０のないモジュール５０のサブセット及び折り曲げ部を備えるモジュール５０のサブセットを持つモジュールが利用されている。これらは、例えば、ここで概略的に図示されているように、交互に配設され得る。この方法においても、第１アレイ１５１（１）の１つ以上の折り曲げ部５２と、隣接する第２アレイ１５１（２）の導電性ワイヤ５１との間の１つ以上の結合部６０で、２つ以上のアレイグリッドモジュール５０を結合し得る。
【００４０】
図６ａ及び６ｂは、１本以上の導電性ワイヤ５１が、単一の平面内の第１ワイヤ素子１５７と、前記平面から突出する第２ワイヤ素子２５７とを有するモジュール式ＬＥＤアレイグリッド１００の実施例を概略的に図示している。先の図においては、ワイヤ素子のほとんどは、おそらくＬＥＤ以外、実質的に１つの平面内にある。しかしながら、図６ａ乃至６ｂにおいては、意図的に他の素子が、特に付加的な折り曲げ部によって、導入され、これは、前記平面から突出する第２ワイヤ素子２５７を供給する。この方法においては、例えば、平面外の第２ワイヤ素子２５７が、例えば図２ａにおいて概略的に図示されているような他の素子上の配設又は他の素子間の配設を容易にするために用いられ得る３Ｄ構造が供給される。特に、平面外の第２ワイヤ素子２５７は、更に又は他の例においては、ＬＥＤ１０に対する他の電力供給のためにも用いられ得る。従って、実施例においては、１つ以上のモジュール５０の１つ以上の第２ワイヤ素子と結合する電源線３５１が設けられる。
【００４１】
図７ａは、複数のＬＥＤアレイグリッドモジュール５０を有するモジュール式ＬＥＤアレイグリッド１００であって、各ＬＥＤアレイグリッドモジュール５０が、１つ以上のＬＥＤ１０に電力を供給するための２本の隣接する導電性ワイヤ５１に電気的に結合される１つ以上のＬＥＤ１０を備える隣接する導電性ワイヤ５１の１つ以上のアレイを有し、１つ以上のアレイの少なくとも１つの２本の隣接する導電性ワイヤ５１が、１つ以上のＬＥＤ１０において第１距離ｄ１を持ち、前記アレイグリッドモジュール５０の２つ以上が、第１アレイ１５１（１）の１つ以上の折り曲げ部５２と、隣接する第２アレイ１５１（２）の導電性ワイヤ５１との間の１つ以上の結合部６０で互いに結合されるモジュール式ＬＥＤアレイグリッド１００を概略的に図示している。
【００４２】
図７ａ及び７ｂは、上記の実施例のいずれにも適用し得る接続部６０の実施例を概略的に図示している。図７ｂは、抵抗溶接又ははんだ付けによって溶接され得る「単純な」接続部６０を概略的に図示している。図７ｃは、接続部が２つのモジュールの隣接するワイヤに巻きつけられ得る実施例を概略的に図示している。
【００４３】
従って、接続部は、図１ｄ、３ｂ、６ａ乃至６ｂ、７ｂ及び７ｃにおいて概略的に図示されているようなステープル接続部のような付加的な素子であってもよいが、接続部は、図１ｃ、３ｃ、４ａ乃至４ｃ及び５ａ乃至５ｂにおいて概略的に図示されているような、単に、例えば、溶接、はんだ付け、巻きつけなどによる隣接するワイヤの接続に基づくものでもあり得る。
【００４４】
図８ａ乃至８ｃ及び９ａ乃至９ｃは、接続部６０が、更に参照符号１６０でも示されているワイヤラッピング結合を含み得る幾つかの他の実施例を概略的に図示している。ワイヤラッピングは、２つのモジュール５０を互いの隣に移動させ、２つのモジュールを互いに接続するよう両方のモジュールの一部に（導電性）ワイヤを巻きつけることによって、得られ得る。ワイヤラッピングは、特に、（両方のモジュールの）第２ワイヤ素子２５７に適用され得る。これらの第２ワイヤ素子２５７は、実施例においては、モジュール５０の折り曲げ部に配設され得る。示されているように、モジュールの折り曲げ部は、別のモジュールに、特に、このような他のモジュールの折り曲げ部に接続され得る。特に、隣接するモジュール間の距離を増大させるよう構成される折り曲げ部が望ましい（上記も参照）。これらの図から導き出され得るように、（ここでは、とりわけ、互いに巻きつけられるワイヤである素子も含む）突出素子は、導電性ワイヤ及び／又は折り曲げ部に取り付けられてもよく、又は導電性ワイヤ及び／又は折り曲げ部の一部であってもよいが、特に、折り曲げ部に取り付けられる、又は折り曲げ部の一部である。
【００４５】
図８ａ及び９ａは、断面であり、図８ｂ、８ｃ及び９ｂは、他の実施例である。図９ａは、図８ｃに概略的に図示されている実施例の断面図であり得る。図９ｂは、ワイヤラッピング結合の実施例をより詳細に概略的に図示している。
【図１ａ】
2015531973.tif 000003
【図１ｂ】
2015531973.tif 000004
【図１ｃ】
2015531973.tif 000005
【図１ｄ】
2015531973.tif 000006
【図２ａ】
2015531973.tif 000007
【図２ｂ】
2015531973.tif 000008
【図２ｃ】
2015531973.tif 000009
【図３ａ】
2015531973.tif 000010
【図３ｂ】
2015531973.tif 000011
【図３ｃ】
2015531973.tif 000012
【図４ａ】
2015531973.tif 000013
【図４ｂ】
2015531973.tif 000014
【図４ｃ】
2015531973.tif 000015
【図５ａ】
2015531973.tif 000016
【図５ｂ】
2015531973.tif 000017
【図６ａ】
2015531973.tif 000018
【図６ｂ】
2015531973.tif 000019
【図７ａ】
2015531973.tif 000020
【図７ｂ】
2015531973.tif 000021
【図７ｃ】
2015531973.tif 000022
【図８ａ】
2015531973.tif 000023
【図８ｂ】
2015531973.tif 000024
【図８ｃ】
2015531973.tif 000025
【図９ａ】
2015531973.tif 000026
【図９ｂ】
2015531973.tif 000027
【図９ｃ】
2015531973.tif 000028
【国際調査報告】
2015531973.tif 000029
2015531973.tif 000030
2015531973.tif 000031